(57)【特許請求の範囲】
【請求項１】
複数のノード装置が伝送路により接続されたネットワークを複数接続するためのノード装置であって，
前記接続される複数のネットワークのそれぞれに設けられた伝送路からのデータをそれぞれ入力する複数の入力部と，
前記接続される複数のネットワークのそれぞれに設けられた伝送路へデータをそれぞれ出力する複数の出力部と，
前記入力部から入力されたデータを前記出力部にスイッチングするスイッチング部と，
を備え，
前記入力部にデータを入力する伝送路のうち，前記複数のネットワークに夫々設けられた伝送路の一部が共有される場合には，該共有される伝送路からのデータを入力する入力部が，他の入力部よりも高速の伝送速度を有し，
前記複数のネットワークが双方向ラインスイッチリングにより構成され，
前記ノード装置は，さらに，
前記入力部にデータを入力する伝送路および前記出力部からデータを出力する伝送路が前記複数のネットワークのいずれの伝送路であるかを示すリング構成情報を記憶する記憶部と，
前記接続される複数のネットワークのそれぞれのトポロジー情報，スケルチ情報，および切り替え情報を，前記リング構成情報に基づいて，対応するネットワークごとに生成し前記出力部を介して送信する送信部と，
前記切り替え情報に基づいて，スイッチ動作およびブリッジ動作を含む切り替え処理を実行する切り替え部とを備える，
ノード装置。
【請求項２】
請求項１において，
前記入力部の少なくとも一部が他の入力部と異なる伝送速度を有し，前記出力部の少なくとも一部が他の出力部と異なる伝送速度を有する，
ノード装置。
【請求項３】
請求項１において，
前記出力部からデータを出力する伝送路のうち，前記複数のネットワーク間で共有される伝送路が存在する場合には，該共有される伝送路にデータを出力する出力部が，他の出力部よりも高速の伝送速度を有する，
ノード装置。
【請求項４】
複数の第１のノード装置が伝送路により接続された第１のネットワークと，
複数の第２のノード装置が伝送路により接続された第２のネットワークと，
前記第１のネットワークの夫々に設けられた伝送路と前記第２のネットワークの夫々に設けられた伝送路との一部が共有される場合において前記共有される伝送路に接続された第３のノード装置と，
を備え，
前記第３のノード装置は，該第３のノード装置に接続された前記伝送路の少なくとも一部により送受信されるデータを，それ以外の前記第１のネットワークの伝送路および前記第２のネットワークの伝送路により送受信されるデータよりも高速に送受信し，
前記第１のネットワークと前記第２のネットワークは双方向ラインスイッチリングにより構成され，
前記第３のノード装置は，
前記データを入力する伝送路および前記データを出力する伝送路が前記第１又は第２のネットワークのいずれの伝送路であるかを示すリング構成情報を記憶する記憶部と，
前記接続される第１又は第２のネットワークのそれぞれのトポロジー情報，スケルチ情報，および切り替え情報を，前記リング構成情報に基づいて，対応する前記第１又は第２のネットワークごとに生成し送信する送信部と，
前記切り替え情報に基づいて，スイッチ動作およびブリッジ動作を含む切り替え処理を実行する切り替え部とを備える，
ネットワークシステム。
【発明の詳細な説明】
【０００１】
【発明の属する技術分野】
本発明は，複数のノード装置が伝送路により接続されたネットワークに設けられるノード装置に関し，特に，ネットワークを複数接続するためのノード装置に関する。
【０００２】
【従来の技術】
複数のノード装置（以下，単に「ノード」という。）を光ファイバ等の伝送路によりリング状に接続したリンクネットワークは，単一方向パススイッチリング（ＵＰＳＲ：Uni-directional Path Switched Ring）方式と双方向ラインスイッチリング（ＢＬＳＲ：Bi-directional Line Switched Ring）方式とに大別することができる。
【０００３】
図２０（Ａ）は，ＵＰＳＲ方式によるリングネットワークの構成およびデータの伝送の様子を示すブロック図であり，同図（Ｂ）は，ＢＬＳＲ方式によるリングネットワークの構成およびデータの伝送の様子を示すブロック図である。両図とも，ノードＡに入力されたデータがノードＤから出力される様子を示している。
【０００４】
ＵＰＳＲ方式では，ノードＡに入力されたデータは，ノードＢおよびＣの双方に伝送され，ノードＢおよびＣからノードＤに与えられる。ノードＤは，正常運用時では，ノードＢおよびＣから与えられたデータのうち，ノードＣ側からのデータを選択し，出力する。ノードＤに入力されたデータがノードＡから出力される場合も同様に伝送される。
【０００５】
一方，ＢＬＳＲ方式では，ノードＡに入力されたデータは，ノードＣにのみ伝送され，ノードＣからノードＤに与えられた後，ノードＤから出力される。ノードＤに入力されたデータが，ノードＤから出力される場合も同様に伝送される。ノードＡからノードＢへの伝送路，および，ノードＢからノードＣへの伝送路は，後述するように，障害発生時の迂回路（予備回線，保護回線）として利用される。
【０００６】
図２１（Ａ）は，ＵＰＳＲ方式によるリングネットワークにおいて，伝送路に障害が発生した場合の情報の伝送経路を示し，図２０（Ｂ）は，ＢＬＳＲ方式によるリングネットワークにおいて，伝送路に障害が発生した場合の情報の伝送経路を示している。これらの図では，ノードＣとノードＤとの間の伝送路に障害が発生した場合が示されている。
【０００７】
ＵＰＳＲ方式では，伝送路に障害が発生していない状況においても，ノードＡに入力されたデータは，ノードＡからノードＣを経由して，ノードＤへ与えられるとともに，ノードＡからノードＢを経由してノードＤに与えられる。したがって，ノードＣ−Ｄ間の伝送路に障害が発生した場合には，障害が発生していないノードＡ−Ｂ−Ｄの経路を伝送されたデータが，ノードＤで選択される。すなわち，ノードＤは，ノードＣ側からのデータを，ノードＤ側からのデータに切り換える処理を行う。
【０００８】
一方，ＢＬＳＲ方式では，ＡＰＳ（Automatic Protection Switch）プロトコルによって救済措置がとられる。すなわち，ノードＡからノードＣに与えられたデータは，ノードＣでブリッジ（Bridge）され，ノードＡに戻った後，ノードＢを経由してノードＤへ与えられ，ノードＤでスイッチ（Switch）されて，ノードＤから出力される。
【０００９】
たとえば，障害が発生していないときに使用される回線（現用回線，Work Channel）をチャネル１から２４，障害発生時に使用される回線（予備回線，保護回線，Protection Channel）をチャネル２５から４８とすると，ノードＡからノードＣへ現用回線のチャネル１を使用して伝送されたデータは，ノードＣでチャネル１および予備回線のチャネル２５の双方に出力（ブリッジ）される。チャネル１に出力されたデータは，ノードＣ−Ｄ間で障害によりノードＤへは伝送されない。チャネル２５に出力されたデータは，ノードＣ−Ａ−Ｂ−Ｄに伝送され，ノードＤにおいて，チャネル２５からチャネル１に戻され（スイッチされ），出力される。
【００１０】
このようなリングネットワークを用いて，より大規模なリングネットワークを構築する場合には，リングネットワークを複数結合することが行われる。図２２は，４つのリングネットワークＬ１〜Ｌ４を結合したネットワークシステムの構成を示すブロック図である。
【００１１】
リングネットワーク間の接続部には，伝送路に障害が発生した場合にも，迂回路により対処できるように，冗長を持たせる構成が採用される。たとえば，ノードＤ−Ｉ間の伝送路に障害が生じた場合には，ノードＤからＥおよびＨを介してノードＩへ向かう経路が形成される。
【００１２】
【発明が解決しようとする課題】
しかし，このような従来のネットワーク相互接続部には，ノードが少なくとも４つ必要となり，ハードウェア量が増加するとともに，コストが増大する。
【００１３】
また，リングネットワーク間に囲まれた部分の伝送路には，あるリングネットワークのノードから他のリングネットワークのノードへ送信されるデータ（トラフィック）が伝送されるため，囲まれていない伝送路よりも多くのデータが伝送されることとなる。
【００１４】
しかしながら，従来のリングネットワークは，ノード間の各伝送路が同じ帯域を持つことが前提であるために，リングネットワーク間に囲まれた部分の伝送路は，輻輳を生じ，ボトルネックとなることがあった。一方，リングネットワークの伝送路全体の帯域を上げると，リングネットワーク間で囲まれた部分の伝送路以外の伝送路の帯域が有効に利用されない事態を招く。
【００１５】
本発明は，このような状況に鑑みなされたものであり，その目的は，ネットワークを相互接続する際のハードウェアの増加，および，これに伴うコストの増大を抑えることにある。
【００１６】
また，本発明の他の目的は，ネットワークを複数接続した場合におけるトラフィックの輻輳を防止するとともに，伝送路の帯域を有効利用することにある。
【００１７】
本発明のさらに他の目的は，ネットワークの回線の利用状況（通信量）に合わせた柔軟な伝送帯域幅を提供することにある。
【００１８】
【課題を解決するための手段】
前記目的を達成するために，本発明によるノード装置は，複数のノード装置が伝送路により接続されたネットワークを複数接続するためのノード装置であって，前記接続される複数のネットワークのそれぞれに設けられた伝送路からのデータをそれぞれ入力する複数の入力部と，前記接続される複数のネットワークのそれぞれに設けられた伝送路へデータをそれぞれ出力する複数の出力部と，前記入力部から入力されたデータを前記出力部にスイッチングするスイッチング部と，を備え，前記入力部にデータを入力する伝送路のうち，前記複数のネットワーク間で共有される伝送路が存在する場合には，該共有される伝送路からのデータを入力する入力部が，他の入力部よりも高速の伝送速度を有する。
【００１９】
本発明の第１の側面によると，複数のネットワークを複数の伝送路が１つのノード装置の複数の入力部および出力部に接続される。したがって，複数のネットワークを１つのノード装置により接続することができる。これにより，ネットワークを相互接続する際のハードウェアの増加，および，これに伴うコストの増大を抑えることができる。
【００２０】
また，本発明の第１の側面によると，入力部にデータを入力する伝送路のうち，複数のネットワーク間で共有される伝送路が存在する場合には，該共有される伝送路からのデータを入力する入力部が，他の入力部よりも高速の伝送速度を有する。共有される伝送路には，複数のネットワークからのトラフィックが通信されるので，この伝送路の入力部の伝送速度を高速にすることにより，輻輳が回避され，通信ボトルネックが解消される。
【００２１】
好ましくは，前記入力部の少なくとも一部が他の入力部と異なる伝送速度を有し，前記出力部の少なくとも一部が他の出力部と異なる伝送速度を有する。したがって，トラフィック量の多い入力部および出力部の伝送速度を，トラフィック量の少ない入力部および出力部の伝送速度より大きくすることにより，ネットワークを複数接続した場合におけるトラフィックの輻輳が防止され，また，伝送路の帯域を有効利用することができる。
【００２２】
また，好ましくは，前記出力部からデータを出力する伝送路のうち，前記複数のネットワーク間で共有される伝送路が存在する場合には，該共有される伝送路にデータを出力する出力部が，他の出力部よりも高速の伝送速度を有する。共有される伝送路には，複数のネットワークからのトラフィックが通信されるので，この伝送路の出力部の伝送速度を高速にすることにより，輻輳が回避され，通信ボトルネックが解消される。
【００２３】
本発明の第１の側面の一実施の形態においては，前記複数のネットワークが双方向ラインスイッチリングにより構成され，前記ノード装置は，前記入力部にデータを入力する伝送路および前記出力部からデータを出力する伝送路が前記複数のネットワークのいずれの伝送路であるかを示すリング構成情報を記憶する記憶部と，前記接続される複数のネットワークのそれぞれのトポロジー情報，スケルチ情報，および切り替え情報を，前記リング構成情報に基づいて，対応するネットワークごとに生成し前記出力部を介して送信する送信部と，前記切り替え情報に基づいて，スイッチ動作およびブリッジ動作を含む切り替え処理を実行する切り替え部と，をさらに備えている。
【００２４】
これにより，ネットワークが複数接続された場合であっても，各ネットワークごとに，トポロジー情報，スケルチ情報，および切り替え情報を送信することができる。
【００２５】
本発明の第２の側面によるネットワークシステムは，複数の第１のノード装置が伝送路により接続された第１のネットワークと，複数の第２のノード装置が伝送路により接続された第２のネットワークと，前記第１のネットワークの伝送路の一部と前記第２のネットワークの伝送路の一部とに接続された第３のノード装置と，を備え，前記第３のノード装置は，該第３のノード装置に接続された前記伝送路の少なくとも一部により送受信されるデータを，それ以外の前記第１のネットワークの伝送路および前記第２のネットワークの伝送路により送受信されるデータよりも高速に送受信するものである。
【００２６】
本発明の第２の側面によると，前述した第１の側面と同様の作用効果を得ることができる。
【００２７】
【発明の実施の形態】
１．ネットワークシステムの全体構成
図１は，本発明の一実施の形態によるネットワークシステムの構成例を示すブロック図である。このネットワークシステム１は，一例として，それぞれ単独では，ＳＯＮＥＴ（Synchronous Optical Network）におけるＯＣ（Optical Carrier）−１９２の１０Ｇ［ｂｐｓ］の伝送速度を有するリングネットワークＬ１〜Ｌ４を４つ結合したものである。各リングネットワークＬ１〜Ｌ４は，ＢＬＳＲ方式を採用する。
【００２８】
このネットワークシステム１は，１２個のノード装置（または伝送装置，以下，単に「ノード」という。）Ａ〜Ｌ，ならびに，これらのノード間を接続する伝送路として，３２本の光ファイバＦ１１〜Ｆ１８，Ｆ２１〜Ｆ２８，Ｆ３１〜Ｆ３８，およびＦ４１〜Ｆ４８を備えている。
【００２９】
ノードＣは，リングネットワークＬ１とＬ２との接続点に設けられ，両リングネットワークＬ１およびＬ２により共有される。同様にして，ノードＤはリングネットワークＬ１とＬ４との接続点に，ノードＥはリングネットワークＬ２とＬ３との接続点に，ノードＦはリングネットワークＬ３とＬ４との接続点に，それぞれ設けられる。
【００３０】
これらリングネットワーク間の接続点に設けられるノードＣ〜Ｆにより，新たなリングネットワークＬ５が形成される。このリングネットワークＬ５も，本実施の形態では，ＢＬＳＲ方式のリングネットワークとして構成される。
【００３１】
リングネットワークＬ１〜Ｌ４のそれぞれにおいて，ＡＰＳ（Automatic Protection Switch）プロトコルによる処理が実行される。また，リングネットワークＬ５においても，ＡＰＳプロトコルによる処理が実行される。
【００３２】
したがって，ノードＣは，自己が属するリングネットワークＬ１，Ｌ２，およびＬ５のそれぞれのトポロジー情報およびスケルチ情報（スケルチテーブル）を有し，リングネットワークＬ１，Ｌ２，およびＬ５のそれぞれについて，ＡＰＳプロトコルによる処理（切り替え情報（Ｋ１およびＫ２情報）の送信，切り替え処理（スイッチ，ブリッジ，スケルチ））を実行することとなる。
【００３３】
同様にして，ノードＤ，Ｅ，およびＦも，自己が属する複数のリングネットワークのそれぞれのトポロジー情報およびスケルチ情報を有し，各リングネットワークについて，ＡＰＳプロトコルによる処理を実行する。
【００３４】
また，ノードＣ〜Ｆは，複数のリングネットワークに属することから，どの光ファイバがどのリングネットワークに属するかを示すリング構成情報（後述）を有する。ノードＣ〜Ｆは，このリング構成情報に基づいて，トポロジー情報およびスケルチ情報を送信し，自己の属するリングネットワークのいずれに対してＡＰＳプロトコルによる処理を実行するかを決定する。
【００３５】
光ファイバＦ１１〜Ｆ１４，Ｆ２１〜Ｆ２４，Ｆ３１〜Ｆ３４，およびＦ４１〜Ｆ４４は，図中，半時計方向に信号を伝送するものである。光ファイバＦ１５〜Ｆ１８，Ｆ２５〜Ｆ２８，Ｆ３５〜Ｆ３８，およびＦ４５〜Ｆ４８は，図中，時計方向に信号を伝送するものである。以下では，光ファイバを「ライン」と呼ぶ場合もある。
【００３６】
このネットワークシステム１は，４つの１０Ｇ［ｂｐｓ］の伝送速度（伝送容量）を有するリングネットワークを結合したものである。したがって，ネットワークシステム１を構成する光ファイバは，原則として１０Ｇ［ｂｐｓ］の伝送速度を有するが，リングネットワークＬ５を構成する光ファイバには，他の光ファイバよりも高速の伝送速度（大きな伝送容量）が割り当てられる。
【００３７】
すなわち，光ファイバＦ１３，Ｆ１６，Ｆ２４，Ｆ２５，Ｆ３１，Ｆ３８，Ｆ４２，およびＦ４７には，１０Ｇ［ｂｐｓ］よりも高速の伝送速度（本実施の形態では４０Ｇ［ｂｐｓ］）が割り当てられる。ただし，これらの光ファイバには，他の１０Ｇ［ｂｐｓ］の光ファイバと同じものが使用され，伝送速度だけが高速化される。したがって，光ファイバのコストが増大するわけではない。
【００３８】
このように伝送速度を高速にした理由は，リングネットワークＬ５を伝送されるトラフィックは，リングネットワークＬ１〜Ｌ４のそれぞれのトラフィックに加えて，複数のリングネットワークに亘って送信されるトラフィック（たとえば，リングネットワークＬ１のノードからＬ３のノード（およびその逆方向）へ，ならびにリングネットワークＬ４のノードからＬ２のノード（およびその逆方向）へ伝送されるトラフィック）も含むため，他の光ファイバよりも大きな伝送容量が必要となることによる。
【００３９】
このように，リングネットワークを複数組み合わせた場合において，より多くのトラフィックが伝送されるラインをより大きな伝送容量とすることにより，通信ボトルネックが解消される。また，他のラインの伝送容量は，１０Ｇ［ｂｐｓ］に維持されるので，これらのラインの帯域の有効利用も図られる。
【００４０】
なお，１０Ｇ［ｂｐｓ］の４倍の４０Ｇ［ｂｐｓ］としたのは，一例であり，具体的にどのような値にするかは，トラフィック量等のネットワークシステムの特性を考慮して，実験，シミュレーション，実際の運用等に鑑み決定される。また，ラインＦ１３，Ｆ１６，Ｆ２４，Ｆ２５，Ｆ３１，Ｆ３８，Ｆ４２，およびＦ４７を４０Ｇ［ｂｐｓ］としたのも，一例であり，トラフィック量によっても，これらのラインの一部が１０Ｇ［ｂｐｓ］のままとされる場合もあるし，これら以外の他のラインが４０Ｇ［ｂｐｓ］とされることもある。さらに，たとえば，ラインＦ１６およびＦ２５を４０Ｇ［ｂｐｓ］とし，ラインＦ２４およびＦ１３が３０Ｇ［ｂｐｓ］とするように異なる値とすることもできるし，これらすべてのラインの伝送速度を異なる値とすることもできる。
【００４１】
このネットワークシステム１では，１０Ｇ［ｂｐｓ］のライン（以下「１０Ｇライン」という。）と４０Ｇ［ｂｐｓ］のライン（以下「４０Ｇライン」という。）とが存在するので，両ライン間で信号を伝送するノードＣ〜Ｆは，１０Ｇラインからの情報を４０Ｇラインへの情報に多重化するとともに，４０Ｇラインからの情報を１０Ｇラインに多重分離する必要がある。このための方法（方式）として，ディジタルラッパ（Digital Wrapper）方式（方法）とＯＨＢＴ（Overhead Byte Transparency）方式（方法）とがある。
【００４２】
以下，両方式におけるフレームの多重化方法，両方式におけるノードＣ，Ｄ，Ｅ，およびＦの構成，正常運用時（障害が発生していない時）のＡＰＳプロトコルによる処理，および障害発生時のＡＰＳプロトコルによる処理について説明する。
【００４３】
２．フレームの多重化方法
図２（Ａ）は，ディジタルラッパ方式における情報の多重化方法を示し，図２（Ｂ）は，ＯＨＢＴ方式における情報の多重化方法を示している。
【００４４】
ディジタルラッパ方式において，１０ラインのフレーム（以下「１０Ｇフレーム」という。）から４０Ｇラインのフレーム（以下「４０Ｇフレーム」という。）を作成する場合には，４つの１０Ｇフレームのオーバヘッド部（セクションオーバヘッド（ＳＯＨ：Section Overhead）およびラインオーバヘッド（ＬＯＨ：Line Overhead））とペイロード部（情報部）とが，４０Ｇフレームのペイロード部にそのまま格納され，４０Ｇフレーム用のオーバヘッド部（ＳＯＨおよびＬＯＨ）が新たに付加される。
【００４５】
一方，ＯＨＢＴ方式では，４つの１０Ｇフレームのペイロード部が４０Ｇフレームのペイロード部に格納され，４つの１０Ｇフレームのオーバヘッド部のうち，必要な情報のみが４０Ｇフレームのオーバヘッド部に格納される。
【００４６】
このようにディジタルラッパ方式では，４つの１０Ｇフレーム（オーバヘッド部およびペイロード部）に加えて，４０Ｇフレーム用のオーバヘッド部が付加されるので，４０Ｇラインの伝送容量は，実際には，オーバヘッド部の部分を加えた４０Ｇ＋α［ｂｐｓ］（αはオーバヘッド部に伝送容量に対応する正の数値）となる。
【００４７】
なお，オーバヘッド部には，トポロジー情報，スケルチ情報（スケルチテーブル），ＡＰＳプロトコルに基づく切り替え情報（Ｋ１およびＫ２情報）等が含まれるのは言うまでもない。
【００４８】
３．ノードの構成
リングネットワークＬ５を構成するノードＣ，Ｄ，Ｅ，およびＦは，いずれも同じ構成を有する。したがって，以下では，ノードＣを代表として，その構成を説明することとする。なお，これらノードＣ，Ｄ，Ｅ，およびＦ以外のノードＡ，Ｂ，Ｇ，Ｈ，Ｉ，Ｊ，Ｋ，およびＬは，２つの１０Ｇラインが入力され，２つの１０Ｇラインが出力される従来のノードと同じ構成を有するので，ここではその説明を省略する。
【００４９】
３．１．ディジタルラッパ方式におけるノードの構成
図３は，ディジタルラッパ方式におけるノードＣの構成を示すブロック図である。
【００５０】
ノードＣは，制御装置１０，１０Ｇライン用の光／電気信号変換器（Ｏ／Ｅ）１１，１２，１０Ｇライン用の電気／光信号変換器（Ｅ／Ｏ）１３，１４，１０Ｇライン用の多重分離器（ＤＭＵＸ）１５，１６，２６，２７，１０Ｇライン用の多重化器（ＭＵＸ）１７，１８，２４，２５，４０Ｇライン用のＥ／Ｏ４０，４１，４０Ｇライン用のＯ／Ｅ４２，第１のディジタルラッパ部（ラッパＡ（bit rate up））３２，３３，第２のディジタルラッパ部（ラッパＢ（ＭＵＸ））３６，３７，第３のディジタルラッパ部（ラッパＣ（bit rate down））３４，３５，第４のディジタルラッパ部（ラッパＤ（ＤＭＵＸ））３８，３９，スイッチ部（ＳＷ）１９，２０，３０，３１，スイッチコア部（ＳＷ−ＣＯＲＥ）２３，ブリッジ部（ＢＲ）２１，２２，２８，２９，およびオーバヘッド部を終端するＯＨ終端装置４４〜４６を備えている。
【００５１】
ここで，ＢＲ２２，ＳＷ２０，ＭＵＸ２４，２５，ＤＭＵＸ２６，２７，ＢＲ２８，２９，およびＳＷ３０，３１のそれぞれは，４つの１０Ｇラインのデータを処理するので，１０Ｇラインのデータを処理するものを４つ備えている。
【００５２】
Ｏ／Ｅ１１，１２は，それぞれ，１０ＧラインＦ１２，Ｆ２８に接続され，これらのラインから入力された光信号を電気信号に変換し，ＤＭＵＸ１５，１６に与える。Ｅ／Ｏ１３，１４は，それぞれ，１０ＧラインＦ１７，Ｆ２１に接続され，ＭＵＸ１７，１８から入力された電気信号を光信号に変換して，１０ＧラインＦ１７，Ｆ２１へ出力する。
【００５３】
Ｏ／Ｅ４２，４３は，それぞれ，４０ＧラインＦ１６，Ｆ２４に接続され，これらのラインから入力された光信号を電気信号に変換して，ＤＭＵＸ３８，３９に与える。Ｅ／Ｏ４０，４１は，それぞれ，４０ＧラインＦ１３，Ｆ２５に接続され，ＭＵＸ３６，３７から入力された電気信号を光信号に変換して，４０ＧラインＦ１３，Ｆ２５へ出力する。
【００５４】
ディジタルラッパ方式では，前述したように，４０Ｇのペイロード部にオーバヘッド部が加わるので，実際には，オーバヘッド部の分だけ，伝送容量を増大させる必要がある。このため，Ｏ／Ｅ４２，４３およびＥ／Ｏ４０，４１は，ともにオーバヘッド部の分（図３ではα）だけ伝送容量（伝送速度）が大きく設定されている。
【００５５】
ＤＭＵＸ１５，１６は，それぞれ，１０ＧラインＦ１２，Ｆ２８の１０Ｇフレームのオーバヘッド部とペイロード部とを分離し，ペイロード部をＳＷ１９に与え，オーバヘッド部をＯＨ終端装置４４に与える。ラッパＤ３８，３９は，それぞれ，４０Ｇ（＋α）ラインＦ１６，Ｆ２４の４０Ｇフレームのオーバヘッド部とペイロード部とを分離し，ペイロード部をラッパＣ３４，３５に与え，オーバヘッド部をＯＨ終端装置４６に与える。
【００５６】
ＭＵＸ１７，１８は，制御装置１０から与えられるオーバヘッド部と，ＢＲ２１から与えられるペイロード部とを多重化して１０Ｇフレームを構成し，構成した１０ＧフレームをＥ／Ｏ１３，１４にそれぞれ与える。ラッパＢ３６，３７は，制御装置１０から与えられるオーバヘッド部と，ラッパＡ３２，３３からそれぞれ与えられるペイロード部とを多重化して４０Ｇフレームを構成し，構成した４０ＧフレームをＥ／Ｏ４０，４１にそれぞれ与える。
【００５７】
ＳＷ１９，２０は，制御装置１０の制御の下，障害発生時に，ＡＰＳプロトコルによるスイッチを行うものである。障害が発生していない正常運用時には，ＳＷ１９，２０は，入力データをスイッチすることなく，ＳＷ−ＣＯＲＥ２３に与える。
【００５８】
ＢＲ２１，２２は，制御装置１０の制御の下，障害発生時に，ＡＰＳプロトコルによるブリッジを行うものである。障害が発生していない正常運用時には，ＢＲ２１，２２は，ＳＷ−ＣＯＲＥ２３からの入力データをブリッジすることなく，ＭＵＸ１７，１８または２４，２５に出力する。
【００５９】
ＳＷ−ＣＯＲＥ２３は，制御装置１０の制御の下，入力データのクロスコネクト（スイッチング）を行い，入力データが出力側のラインに出力されるようにする。たとえば，正常運用時において，１０ＧラインＦ１２からの入力データを１０ＧラインＦ２１に出力する場合には，ＳＷ−ＣＯＲＥ部２３は，１０ＧラインＦ１２からの入力データをクロスコネクトして，ＢＲ２１，ＭＵＸ１８およびＥ／Ｏ１４を介して１０ＧラインＦ２１に出力されるようにする。
【００６０】
ＭＵＸ２４，２５は，それぞれ，ＢＲ２２から与えられる４つの１０Ｇフレームのペイロード部と制御装置１０から与えられる１０Ｇフレームのオーバヘッド部とを多重化し，４つの１０Ｇフレームを構成し，ＢＲ２８，２９に出力する。ＢＲ２８，２９は，制御装置１０の制御の下，１０Ｇフレーム単位でブリッジを行うものである。
【００６１】
ラッパＡ３２，３３は，それぞれ，ＢＲ２８，２９から与えられる４つの１０Ｇフレームのペイロード部を１つの４０Ｇフレームのペイロード部（図２（Ａ）参照）に格納するとともに，４０Ｇ［ｂｐｓ］の速度に変換し（bit rate up），ラッパＢ３６，３７に出力する。
【００６２】
ラッパＣ３４，３５は，それぞれ，ラッパＤ３８，３９から与えられた４０Ｇフレームのペイロード部に含まれる４つの１０フレームを４つに分解するとともに，１０Ｇ［ｂｐｓ］の速度に変換し（bit rate down），ＳＷ３０，３１に出力する。
【００６３】
ＳＷ３０，３１は，それぞれ，制御装置１０の制御の下，ＤＭＵＸ３８，３９から与えられた４つの１０Ｇフレームを，１０フレーム単位でスイッチするものである。
【００６４】
ＤＭＵＸ２６，２７は，それぞれ，ＳＷ３０，３１から与えられる４つの１０Ｇフレームを，オーバヘッド部とペイロード部とに分離し，オーバヘッド部をＯＨ終端装置４５に与え，ペイロード部をＳＷ２０に与える。
【００６５】
ＯＨ終端装置４４〜４６は，オーバヘッド部を終端するものであり，入力されたオーバヘッド部が，制御装置１０に読み取り可能に記憶される。ＯＨ終端装置４４には，１０Ｇフレームのオーバヘッド部が入力される。ＯＨ終端装置４５には，４０Ｇフレームのペイロード部に含まれる１０Ｇフレームのオーバヘッド部が入力される。ＯＨ終端装置４６には，４０Ｇフレームのオーバヘッド部が入力される。
【００６６】
制御装置１０は，ＯＨ終端装置４４〜４６に記憶されたオーバヘッド部を参照し，オーバヘッド部に含まれるトポロジー情報およびスケルチ情報を記憶する。なお，トポロジー情報およびスケルチ情報は，一旦，記憶されると，その後，トポロジー情報またはスケルチ情報に変更（更新）がない限り更新されない。
【００６７】
また，制御装置１０は，オーバヘッド部に含まれる切り替え情報（Ｋ１，Ｋ２情報）に基づいてＳＷ１９，２０，３０，３１，ＢＲ２１，２２，２８，２９等を制御し，ＡＰＳプロトコルによる切り替え処理（ブリッジおよびスイッチ），スケルチ処理等を行う。たとえば，ＯＨ終端装置４６に記憶された４０Ｇフレームのオーバヘッド部の切り替え情報に基づいて，４０ＧのリングネットワークＬ５の切り替え処理，スケルチ処理等が行われる。また，ＯＨ終端装置４５に記憶された１０Ｇフレームのオーバヘッド部の切り替え情報に基づいて，１０ＧのリングネットワークＬ１の切り替え処理，スケルチ処理等が行われる。
【００６８】
さらに，制御装置１０は，自己のノードへの入力ラインに障害が発生すると，これを検知し，ＡＰＳプロトコルによる切り替え情報を作成して，この切り替え情報をオーバヘッド部に格納して他のノードに送信する。
【００６９】
また，前述したように，制御装置１０は，ＳＷ−ＣＯＲＥ２３を制御して，クロスコネクトを行う。なお，制御装置１０の制御信号が流れる制御線の図示は省略されている。
【００７０】
制御装置１０が記憶するトポロジー情報は，前述したように，自己のノード（ここではノードＣ）が接続されているリングネットワークＬ１，Ｌ２およびＬ５のそれぞれのトポロジー情報である。制御装置１０が記憶するスケルチ情報についても同様である。
【００７１】
さらに，制御装置１０は，自己のノードに接続されたラインが，どのリングネットワークに属するものであるかを示すリング構成情報を有する。たとえば，ノードＣの制御装置１０が有するリング構成情報は，ラインＦ１２，Ｆ１７（図１参照）がリングネットワークＬ１に属し，ラインＦ２１，Ｆ２８がリングネットワークＬ２に属し，ラインＦ１３，Ｆ１６がリングネットワークＬ１およびＬ５に属し，ラインＦ２４，Ｆ２５がリングネットワークＬ２およびＬ５に属するという情報である。なお，ここでは，リング構成情報をライン（光ファイバ）の識別符号Ｆ１２等により表現しているが，制御装置１０の内部では，ラインの識別符号ではなく，ラインの入出力インタフェースであるＯ／ＥまたはＥ／Ｏに付された識別情報により表現されていてもよい。
【００７２】
制御装置１０は，このリング構成情報に基づいて，トポロジー情報，スケルチ情報，および切り替え情報を送信するとともに，クロスコネクトおよびＡＰＳプロトコルによる切り替え処理（後に詳述）を実行する。
【００７３】
たとえば，ラインＦ１２（すなわちＯ／Ｅ１１）から入力されたトポロジー情報は，ラインＦ１２がリングネットワークＬ１の属するというリング構成情報に基づいて，リングネットワークＬ１を構成するラインＦ１３（すなわちＥ／Ｏ４０）に出力される。ラインＦ２４（Ｏ／Ｅ４３）から入力されたトポロジー情報については，４０Ｇフレームのオーバヘッド部にあるトポロジー情報と，ペイロード部に格納された１０Ｇフレームのオーバヘッド部にあるトポロジー情報とによって送信先が異なる。前者は，ラインＦ２４がリングネットワークＬ５に属するというリング構成情報に基づいて，リングネットワークＬ５に属するラインF１３に出力される。後者のうちノードＨからのものは，ラインＦ２４がリングネットワークＬ２に属するというリング構成情報に基づいて，ラインＦ２１に出力される。
【００７４】
なお，制御装置１０は，ＣＰＵまたはマイクロコンピュータと，これらＣＰＵまたはマイクロコンピュータにより実行されるプログラムとによって構成することもできるし，プログラムによって実行される処理を実現したハードウェア回路によって構成することもできる。
【００７５】
３．２．ＯＨＢＴ方式におけるノードの構成
図４は，ＯＨＢＴ方式におけるノードＣの構成を示すブロック図である。ディジタルラッパ方式におけるノードの構成要素と同じものには，同じ符号を付し，その説明を省略することとする。
【００７６】
ＯＨＢＴ方式では，４０Ｇラインに接続されるＥ／Ｏ５９〜６２として，４０Ｇ［ｂｐｓ］の伝送速度を有するものが用いられる。
【００７７】
また，ＯＨＢＴ方式では，ディジタルラッパ部３２〜３５に代えてＯＨＢＴ部５５〜５８が設けられる。ＯＨＢＴ部５５，５６は，それぞれ，ＭＵＸ５１，５２にから与えられる４つの１０Ｇフレームを１つの４０Ｇのフレームにする。ＯＨＢＴ部５７，５８は，それぞれ，４０Ｇラインから入力されたフレームを４つの１０Ｇフレームに分解する。１０Ｇフレームのペイロード部は，ＤＭＵＸ５３，５４にそれぞれ与えられ，オーバヘッド部は，ＯＨ終端装置４５に与えられる。
【００７８】
ディジタルラッパ方式に設けられているＢＲ２８，２９およびＳＷ３０，３１が設けられていない。
【００７９】
制御装置５０は，制御装置１０とほぼ同様の機能を有するが，障害発生時における処理が一部異なるので，異なる符号を付している。異なる処理については，後に詳述する。
【００８０】
４．ＡＰＳプロトコルによる処理
ネットワークシステム１では，ラインまたはノードに障害が発生した場合のＡＰＳプロトコルによる処理が，ディジタルラッパ方式の場合とＯＨＢＴ方式の場合とで異なる場合がある。
【００８１】
以下では，２つの伝送経路＃１および＃２を例にとり，両方式におけるＡＰＳプロトコルの処理の共通点および相違点について説明する。
【００８２】
４．１．正常運用時のＡＰＳプロトコルによる処理
まず，正常運用時におけるＡＰＳプロトコルによる処理について説明する。図５は，ネットワークシステム１において，障害が発生していない正常運用時における２つの伝送経路＃１および＃２を示している。
【００８３】
伝送経路＃１では，ノードＡに入力された１０Ｇ［ｂｐｓ］のデータ（以下「１０Ｇデータ」という。）が，ノードＡからノードＤ，ノードＣおよびノードＥを経由してノードＩから出力される。ノードＤは，１０ＧラインＦ１５からの１０Ｇデータを，ディジタルラッパ方式またはＯＨＢＴ方式により４０Ｇ［ｂｐｓ］のデータ（以下「４０Ｇデータ」という。）に変換して，ラインＦ１６に出力する。また，ノードＥは，４０ＧラインＦ２５からの４０Ｇデータを，ディジタルラッパ方式またはＯＨＢＴ方式により１０Ｇデータに変換し，ラインＦ３２に出力する。
【００８４】
伝送経路＃２では，ノードＢに入力された１０Ｇデータが，ノードＣおよびノードＤを経由して，ノードＡから出力される。ノードＣは，１０ＧラインＦ１２からの１０Ｇデータを，ディジタルラッパ方式またはＯＨＢＴ方式により４０Ｇデータに変換し，ラインＦ１３に出力する。また，ノードＥは，４０ＧラインＦ２５からの４０Ｇデータを，ディジタルラッパ方式またはＯＨＢＴ方式により１０Ｇデータに変換し，ラインＦ３２に出力する。
【００８５】
このように，伝送経路＃２は，リングネットワークＬ１上に形成されるとともに，その一部は，リングネットワークＬ５上に重ねて形成される。また，伝送経路＃２は，リングネットワークＬ１，Ｌ５，Ｌ２，およびＬ３上に形成される。
【００８６】
したがって，ＡＰＳプロトコルによる切り替え情報（Ｋ１，Ｋ２情報）も，これらのリングネットワークのそれぞれで個別に通信されるが，リングネットワークＬ２およびＬ３上を送信される切り替え情報は，リングネットワークＬ１上を送信される切り替え情報と同様であるので，以下では，リングネットワークＬ１およびＬ５上を送信される切り替え情報を例に挙げて説明する。
【００８７】
図６（Ａ）は，正常運用時におけるリングネットワークＬ１上の切り替え情報の内容を示し，図６（Ｂ）は，正常運用時におけるリングネットワークＬ５上の切り替え情報の内容を示している。この切り替え情報の送受信シーケンスは，図８および図９の時刻Ｔ１までのシーケンス図に示されている。図８（Ａ）および図９（Ａ）は，リングネットワークＬ１の切り替え情報の送受信シーケンス図であり，図８（Ｂ）および図９（Ｂ）は，リングネットワークＬ５の切り替え情報の送受信シーケンス図である。
【００８８】
図中，符号１ａ，１ｂ，２ａ，１Ａ，１Ｂ，２Ａ等は，切り替え情報を表す符号である。また，小文字のアルファベットを含む符号は，リングネットワークＬ１の切り替え情報の符号であり，大文字のアルファベットを含む符号は，リングネットワークＬ５の切り替え情報の符号である。以下に説明する図８〜１０，１２〜１４，１６〜１８においても同様である。
【００８９】
なお，Ｋ１情報は，「スイッチのプライオリティ／送信先ノードＩＤ」を示している。Ｋ２情報は，「送信元ノードＩＤ／ショートパス（Ｓ）またはロングパス（Ｌ）／ブリッジおよびスイッチのステータス」を示している。たとえば，切り替え情報１ａのＫ１情報「ＮＲ／Ｂ」は，スイッチのプライオリティとして「No Request」であり，送信先ノードがノードＢであることを示している。また，切り替え情報１ａのＫ２情報「Ａ／Ｓ／ＩＤＬＥ」は，送信元ノードがノードＡであり，パスがショートパスであり，ブリッジおよびスイッチのステータスがＩＤＬＥであることを示している。
【００９０】
これらリングネットワークＬ１およびＬ５においてそれぞれ送信される切り替え情報およびその送受信シーケンスは，通常のＡＰＳプロトコルに基づくものである。また，ディジタルラッパ方式によるものとＯＨＢＴ方式によるものとは同じである。ただし，ノードＣおよびノードＤの制御装置１０または５０には，リング構成情報が設けられ，このリング構成情報に基づいて，切り替え情報の送信先ノードが判断されている。そして，リングネットワークＬ１の切り替え情報はリングネットワークＬ１の送信先ノードに，リングネットワークＬ５の切り替え情報はリングネットワークＬ５の送信先ノードに，それぞれ送信される。
【００９１】
４．２．障害時のＡＰＳプロトコルによる処理
（１）１０Ｇラインの障害
図７は，１０ＧラインＦ１４およびＦ１５に障害が発生した場合における，伝送経路＃１および＃２の各迂回経路＃３および＃４を示している。同図（Ａ）は，ディジタルラッパ方式における迂回経路を，同図（Ｂ）は，ＯＨＢＴ方式における迂回経路を，それぞれ示している。
【００９２】
図８は，１０Ｇラインに障害が発生した場合のディジタルラッパ方式における切り替え情報の送受信シーケンス図であり，同図（Ａ）はリングネットワークＬ１のシーケンス図であり，同図（Ｂ）はリングネットワークＬ５のシーケンス図である。図９は，１０Ｇラインに障害が発生した場合のＯＨＢＴ方式における切り替え情報の送受信シーケンス図であり，同図（Ａ）はリングネットワークＬ１のシーケンス図であり，同図（Ｂ）はリングネットワークＬ５のシーケンス図である。また，図１０は，図８および９の切り替え情報の内容を示している。
【００９３】
図８および図９のシーケンス図は，時刻Ｔ１にラインＦ１４，Ｆ１５に障害が発生し，時刻Ｔ２に障害が復旧した場合を示している。したがって，時刻Ｔ１からＴ２までの処理が，ＡＰＳプロトコルによるスイッチおよびブリッジ動作のための切り替え情報の送受信シーケンスを示し，時刻Ｔ２からＴ３までは，ラインの障害が復旧した直後から切り戻しタイマ（Wait to Restore）の経過までの切り替えＡＰＳ情報の送受信シーケンスを示している。時刻Ｔ３以後は，切り戻しタイマ経過後の切り戻しＡＰＳシーケンスを示している。図中，「×」が示されている切り替え情報は，ラインの障害により，送信先ノードに送信されないことを示している。後述する図１２，１３，１６，および１７においても同様である。
【００９４】
なお，Ｋ１情報の「ＳＦ−Ｒ」は，ラインに障害は生じたことを示す“Signal Fail Ring”を意味する。「ＲＲ−Ｒ」は，“Reverse Request Ring”を，「ＷＴＲ」は“Wait to Restore”を，それぞれ意味する。また，Ｋ２情報の「ＲＤＩ」は“Remote Defect Indication”を，「Ｂｒ＆Ｓｗ」は“Bridge and Switch”を意味し，「Ｂｒ」は“Bridge”を意味する。以下の図１４および１８においても同じである。
【００９５】
１０ＧラインＦ１４およびＦ１５に障害が発生すると，ラインＦ１４については，その受信側ノードＡが障害を検知し，ラインＦ１５については，その受信側ノードＤが障害を検知する。
【００９６】
障害検知後，ノードＡは，そのリング構成情報に基づいて，ラインＦ１４がリングネットワークＬ１にのみ属するラインであると判断する。同様にして，ノードＤは，リング構成情報に基づいて，ラインＦ１５がリングネットワークＬ１にのみ属するラインであると判断する。
【００９７】
その結果，ノードＡおよびＤは，ディジタルラッパ方式およびＯＨＢＴ方式のいずれにおいても，リングネットワークＬ１においてのみ，ＡＰＳプロトコルによるブリッジおよびスイッチを実行するための切り替え情報をリングネットワークＬ１上に送信する。これにより，リングネットワークＬ１においてのみ，ＡＰＳプロトコルによる切り替え処理（ブリッジおよびスイッチ）が実行される。一方，リングネットワークＬ５では，正常運用時における切り替え情報の送受信が行われ，切り替え処理は実行されない。
【００９８】
切り替えの結果，図５の伝送経路＃１については，ノードＡでブリッジが実行され，ノードＤでスイッチが実行される。伝送経路＃２については，ノードＤでブリッジが実行され，ノードＡでスイッチが実行される。
【００９９】
この切り替え情報の送信および切り替え処理は，通常のＡＰＳプロトコルによるものである。ただし，ノードＣおよびノードＤの制御装置１０または５０には，リング構成情報が設けられ，このリング構成情報に基づいて，スイッチおよびブリッジを実行するための切り替え情報がリングネットワークＬ１上に送信される。
【０１００】
なお，他の１０Ｇライン（たとえばリングネットワークＬ１のラインＦ１２，リングネットワークＬ２のラインＦ２１等）に障害が発生した場合についても，同様の処理，すなわち１０Ｇのリングネットワークにおける切り替え処理が行われる。
【０１０１】
（２）４０Ｇラインの障害
図１１は，４０ＧラインＦ１３およびＦ１６に障害が発生した場合における，伝送経路＃１および＃２の各迂回経路＃５および＃６を示している。同図（Ａ）は，ディジタルラッパ方式における迂回経路を，同図（Ｂ）は，ＯＨＢＴ方式における迂回経路を，それぞれ示している。
【０１０２】
図１２は，４０Ｇラインに障害が発生した場合のディジタルラッパ方式における切り替え情報の送受信シーケンス図であり，同図（Ａ）はリングネットワークＬ１のシーケンス図であり，同図（Ｂ）はリングネットワークＬ５のシーケンス図である。図１３は，４０Ｇラインに障害が発生した場合のＯＨＢＴ方式における切り替え情報の送受信シーケンス図であり，同図（Ａ）はリングネットワークＬ１のシーケンス図であり，同図（Ｂ）はリングネットワークＬ５のシーケンス図である。また，図１４は，切り替え情報の内容を示している。
【０１０３】
４０ＧラインＦ１３およびＦ１６に障害が発生すると，ラインＦ１３については，その受信側ノードＤが障害を検知し，ラインＦ１６については，その受信側ノードＣが障害を検知する。
【０１０４】
障害検知後，ノードＤは，そのリング構成情報に基づいて，ラインＦ１３がリングネットワークＬ１およびＬ５に属するラインであると判断する。同様にして，ノードＣは，リング構成情報に基づいて，ラインＦ１６がリングネットワークＬ１およびＬ５に属するラインであると判断する。
【０１０５】
その結果，ノードＣおよびＤは，ディジタルラッパ方式およびＯＨＢＴ方式のいずれにおいても，リングネットワークＬ１およびＬ５の双方において，ＡＰＳプロトコルによるブリッジおよびスイッチを実行するための切り替え情報をリングネットワークＬ１およびＬ５上にそれぞれ送信する必要があると判断する。
【０１０６】
しかし，ディジタルラッパ方式においては，前述したように１０Ｇフレームのオーバヘッド部は，４０Ｇフレームのペイロード部にそのまま格納され，送信される。したがって，障害が発生したラインＦ１３およびＦ１６の両端のノードＣとＤとの間で通信されるべき１０Ｇフレームのオーバヘッド部の情報は，４０ＧのリングネットワークＬ５に形成される迂回路によって，ノードＣ−Ｄ間に通信される。このため，４０ＧのリングネットワークＬ５における切り替え処理を行って，リングネットワークＬ５上で迂回路を形成することにより，ノードＣ−Ｄ間における１０Ｇフレームのオーバヘッド部の通信が確保される。
【０１０７】
一方，ＯＨＢＴ方式では，このような１０Ｇフレームのオーバヘッド部の情報が４０ＧのリングネットワークＬ５の迂回路によってノードＣ−Ｄ間で通信されない。
【０１０８】
したがって，ディジタルラッパ方式では，ノードＣおよびノードＤの各制御装置１０は，リングネットワークＬ５にのみ，障害発生時の切り替え情報を送信し，リングネットワークＬ１には，正常運用時の切り替え情報を送信するように制御する。すなわち，１０Ｇのリングネットワークと４０Ｇのリングネットワークとで共有されるラインに障害が発生した場合に，ディジタルラッパ方式では，４０Ｇのリングネットワークにおいてのみ，障害発生時の切り替え情報を送信するように，ノードＣおよびノードＤの制御装置１０があらかじめ設定されている。
【０１０９】
これにより，リングネットワークＬ５にのみ，切り替え処理（ブリッジおよびスイッチ）が実行される。一方，ＯＨＢＴ方式では，制御装置５０は，リングネットワークＬ１およびＬ５の双方に障害発生時の切り替え情報を送信する。これにより，リングネットワークＬ１およびＬ５の双方で，切り替え処理が実行される。
【０１１０】
なお，図１２のディジタルラッパ方式によるシーケンス図における時刻Ｔ２以降の復旧処理についても，リングネットワークＬ１については，切り替え処理が行われていないので，正常運用時の切り替え情報の送受信が続行されている。
【０１１１】
他の４０Ｇラインに障害が発生した場合についても，同様の処理が行われる。
【０１１２】
（３）ノードの障害
図１５は，４０ＧのリングネットワークＬ５（および１０ＧのリングネットワークＬ２）上にあるノードＣに障害が発生した場合における，伝送経路＃１および＃２の各迂回経路＃７および＃８を示している。同図（Ａ）は，ディジタルラッパ方式における迂回経路を，同図（Ｂ）は，ＯＨＢＴ方式における迂回経路を，それぞれ示している。
【０１１３】
図１５から明らかなように，迂回経路＃７および＃８は，ディジタルラッパ方式におけるものと，ＯＨＢＴ方式におけるものと同じである。ただし，これらの迂回経路を形成すためのＡＰＳプロトコルによる切り替え情報の送受信シーケンスが，両方式で異なっている。
【０１１４】
図１６は，ノードＣに障害が発生した場合のディジタルラッパ方式における切り替え情報の送受信シーケンス図であり，同図（Ａ）はリングネットワークＬ１のシーケンス図であり，同図（Ｂ）はリングネットワークＬ５のシーケンス図である。図１７は，ノードＣに障害が発生した場合のＯＨＢＴ方式における切り替え情報の送受信シーケンス図であり，同図（Ａ）はリングネットワークＬ１のシーケンス図であり，同図（Ｂ）はリングネットワークＬ５のシーケンス図である。また，図１８は，切り替え情報の内容を示している。
【０１１５】
ノードＣに障害が発生した場合には，ノードＣから出力される１０ＧラインＦ１７，Ｆ２１，および，４０ＧラインＦ１３，Ｆ２５に障害が発生した場合と同様の状況となる。したがって，１０ＧラインＦ１７の障害については，その受信側ノードＢが障害を検知し，４０ＧラインＦ１３については，その受信側ノードＤが障害を検知する。４０ＧラインＦ２５の障害については，その受信側ノードＥが，１０ＧラインＦ２１の障害については，その受信側ノードＧが障害を検知する。
【０１１６】
まず，ノードＤの処理について説明する。
【０１１７】
ノードＤが４０ＧラインＦ１３の障害を検知すると，ＯＨＢＴ方式では，前述した４０Ｇラインの障害時におけるＡＰＳプロトコルの処理と同様に，ノードＤは，４０ＧのリングネットワークＬ５および１０ＧのリングネットワークＬ１の双方で切り替え処理が実行されるように，双方のリングネットワークに切り替え情報を送信する。
【０１１８】
一方，ディジタルラッパ方式では，ノードＤは，４０ＧのリングネットワークＬ５における切り替え処理のみを実行し，１０ＧのリングネットワークＬ１における切り替え処理を行わない。
【０１１９】
したがって，両方式のＡＰＳプロトコルによる切り替え情報の送受信シーケンス（図１６および図１７参照）を比較すると，４０ＧのリングネットワークＬ５における送受信シーケンスは，両方式ともに，２つの４０ＧラインＦ１３およびＦ２５の障害発生時の送受信シーケンスとなり，同じとなる。一方，１０ＧのリングネットワークＬ１におけるシーケンスは，両方式間で，異なったものとなる。
【０１２０】
まず，ＯＨＢＴ方式では，リングネットワークＬ１においても，切り替え処理が実行されるので，その送受信シーケンスは，リングネットワークＬ５におけるものと同じとなる（図１７（Ａ）および（Ｂ）参照）。
【０１２１】
一方，ディジタルラッパ方式では，ノードＤは，障害検知直後，リングネットワークＬ１の切り替え処理を実行しない。したがって，ノードＤは，障害を検知しても，ノードＣには，正常運用時の切り替え情報４ｂを送信し（図１６（Ａ）の▲１▼），図１７（Ａ）に示すＯＨＢＴ方式のように，切り替え情報２５ａを送信しない。また，ノードＤは，ノードＡには，ＯＨＢＴ方式のように切り替え情報２５ａ（図１７（Ａ）の▲５▼）を送信しない。
【０１２２】
一方，ノードＢも障害を検知するので，ノードＤは，ノードＢからノードＡを介して送信されて来た切り替え情報２４ｂを受信する（図１６（Ａ）の▲２▼）。これにより，ノードＤは，リングネットワークＬ１の切り替え処理が必要であることを知り，ノードＣには切り替え情報２５ａ（▲３▼：ノードＤが障害を検出したことによる切り替え要求）を，ノードＡには切り替え情報２５ｂ（▲４▼：ノードＤが障害を検出したことによる切り替え要求）を，それぞれ送信する。また，ノードＤは，ノードＢからの切り替え要求（▲２▼）に対するレスポンス２７ｂをノードＡ（を介してノードＢ）に送信する。そして，ノードＢが送信する切り替え情報によって，リングネットワークＬ１においても切り替え処理が実行される。
【０１２３】
その結果，ディジタルラッパ方式における迂回経路とＯＨＢＴ方式における迂回経路とが一致することとなる。
【０１２４】
なお，図１８における「def K byte」は，デフォルトＫ１／Ｋ２バイトを意味する。
【０１２５】
また，４０Ｇの他のノードＤ等に障害が発生した場合も同様の処理となる。また，１０ＧのノードＡ，Ｂ等の障害については，１０ＧのリングネットワークＬ１等においてのみ，ＡＰＳプロトコルによる切り替え処理が実行される。
【０１２６】
５．他の実施の形態
前述した実施の形態では，４つのリングネットワークＬ１〜Ｌ４が接続されたネットワークシステムの例を示したが，２つ，３つ，または５つ以上のリングネットワークが接続されたネットワークシステムにも本発明を適用することができる。図１９は，複数のリングネットワークを接続したネットワークシステムの一構成例を示している。
【０１２７】
また，前述した実施の形態では，フレームがタイムスロットに多重化されるＳＯＮＥＴを例に説明しているが，ＳＯＮＥＴにおける各タイムスロットを波長に割り当てたＷＤＭ（Wavelength Division Multiplexing）により，本発明を実現することもできる。
【０１２８】
さらに，各リングネットワークＬ１〜Ｌ５がＵＰＳＲ方式により構成されている場合にも本発明を適用することができる。
【０１２９】
（付記１）  複数のノード装置が伝送路により接続されたネットワークを複数接続するためのノード装置であって，
前記接続される複数のネットワークのそれぞれに設けられた伝送路からのデータをそれぞれ入力する複数の入力部と，
前記接続される複数のネットワークのそれぞれに設けられた伝送路へデータをそれぞれ出力する複数の出力部と，
前記入力部から入力されたデータを前記出力部にスイッチングするスイッチング部と，
を備え，
前記入力部にデータを入力する伝送路のうち，前記複数のネットワーク間で共有される伝送路が存在する場合には，該共有される伝送路からのデータを入力する入力部が，他の入力部よりも高速の伝送速度を有する，
ノード装置。
【０１３０】
（付記２）  付記１において，
前記入力部の少なくとも一部が他の入力部と異なる伝送速度を有し，前記出力部の少なくとも一部が他の出力部と異なる伝送速度を有する，
ノード装置。
【０１３１】
（付記３）  付記１において，
前記出力部からデータを出力する伝送路のうち，前記複数のネットワーク間で共有される伝送路が存在する場合には，該共有される伝送路にデータを出力する出力部が，他の出力部よりも高速の伝送速度を有する，
ノード装置。
【０１３２】
（付記４）  付記１において，
前記複数のネットワークが双方向ラインスイッチリングにより構成され，
前記ノード装置は，
前記入力部にデータを入力する伝送路および前記出力部からデータを出力する伝送路が前記複数のネットワークのいずれの伝送路であるかを示すリング構成情報を記憶する記憶部と，
前記接続される複数のネットワークのそれぞれのトポロジー情報，スケルチ情報，および切り替え情報を，前記リング構成情報に基づいて，対応するネットワークごとに生成し前記出力部を介して送信する送信部と，
前記切り替え情報に基づいて，スイッチ動作およびブリッジ動作を含む切り替え処理を実行する切り替え部と，
をさらに備えているノード装置。
【０１３３】
（付記５）  付記１において，
前記入力部にデータを入力する前記伝送路の障害を検出する検出部と，
前記検出部により，共有される伝送路に障害が検出された場合に，切り替え情報を，前記送信部により，該伝送路が存在するすべてのネットワークまたはすべてのネットワークのうちのいずれか１つのネットワークへ送信するかどうかを判断する判断部と，
をさらに備えているノード装置。
【０１３４】
（付記６）  付記１から５のいずれか１つにおいて，
前記出力部が有する伝送速度よりも低速の伝送速度を有する前記入力部から，該出力部にデータをスイッチングして出力する場合に，ディジタルラッパ方式またはＯＨＢＴ方式によりデータを多重化して前記出力部に与える多重化部をさらに備えている，
ノード装置。
【０１３５】
（付記７）  付記１から６のいずれか１つにおいて，
前記入力部が，ディジタルラッパ方式またはＯＨＢＴ方式により多重化されたフレームデータを入力し，
前記ノード装置は，前記入力部から入力された前記フレームデータを多重分離し，前記入力部よりも低速の伝送速度を有する前記出力部に与える多重分離部をさらに備えている，
ノード装置。
【０１３６】
（付記８）  付記１から７のいずれか１つにおいて，
前記伝送路が光ファイバにより構成され，
前記データが前記伝送路上をタイムスロット，または，該タイムスロットを波長に対応させた波長分割多重により多重化されて送受信される，
ノード装置。
【０１３７】
（付記９）  複数の第１のノード装置が伝送路により接続された第１のネットワークと，
複数の第２のノード装置が伝送路により接続された第２のネットワークと，
前記第１のネットワークの伝送路の一部と前記第２のネットワークの伝送路の一部とに接続された第３のノード装置と，
を備え，
前記第３のノード装置は，該第３のノード装置に接続された前記伝送路の少なくとも一部により送受信されるデータを，それ以外の前記第１のネットワークの伝送路および前記第２のネットワークの伝送路により送受信されるデータよりも高速に送受信する，
ネットワークシステム。
【０１３８】
（付記１０）  付記９において，
前記第３のノード装置が少なくとも２つ隣接して設けられ，
前記少なくとも２つの第３のノード装置間を接続する前記伝送路により送受信されるデータを，それ以外の前記第１のネットワークの伝送路および前記第２のネットワークの伝送路により送受信されるデータよりも高速に送受信される，
ネットワークシステム。
【０１３９】
（付記１１）  複数のノード装置が伝送路により接続された，双方向ラインスイッチリングにより構成されるネットワークを複数接続するためのノード装置が行うオーバヘッド情報送信方法であって，
該ノード装置に接続された前記伝送路が前記複数のネットワークのいずれの伝送路であるかを示すリング構成情報をあらかじめ記憶しておき，
前記接続される複数のネットワークのそれぞれのトポロジー情報，スケルチ情報，および切り替え情報を，前記前記リング構成情報に基づいて，前記複数のネットワークの対応するものごとに，前記伝送路を介してそれぞれ送信する，
オーバヘッド情報送信方法。
【０１４０】
（付記１２）  複数のノード装置が伝送路により接続された，双方向ラインスイッチリングにより構成されるネットワークを複数接続するためのノード装置が行う切り替え情報送信方法であって，
該ノード装置にデータを入力する伝送路に障害が発生した場合に，前記接続された複数のネットワークのいずれに，切り替え処理を引き起こすことを示す切り替え情報を送信するかを定めたデータをあらかじめ記憶しておき，
該ノード装置にデータを入力する伝送路の障害を検知し，
前記障害を検知すると，前記記憶したデータに基づいて，切り替え処理を引き起こすことを示す切り替え情報を，対応するネットワークに送信する，
切り替え情報送信方法。
【０１４１】
【発明の効果】
本発明によると，ネットワーク間を接続するノード装置を１つとすることができる。これにより，ネットワークを相互接続する際のハードウェアの増加，および，これに伴うコストの増大を抑えることができる。
【０１４２】
また，本発明によると，ネットワークを複数接続することに伴うトラフィックの輻輳を防止でき，また，伝送路の帯域を有効利用することができる。
【図面の簡単な説明】
【図１】本発明の一実施の形態によるネットワークシステムの構成例を示すブロック図である。
【図２】（Ａ）は，ディジタルラッパ方式における情報の多重化方法を示し，（Ｂ）は，ＯＨＢＴ方式における情報の多重化方法を示している。
【図３】ディジタルラッパ方式におけるノードＣの構成を示すブロック図である。
【図４】ＯＨＢＴ方式におけるノードＣの構成を示すブロック図である。
【図５】本発明の一実施の形態によるネットワークシステムにおいて，障害が発生していない正常運用時における２つの伝送経路を例を示している。
【図６】（Ａ）は，正常運用時におけるリングネットワークＬ１上の切り替え情報の内容を示し，（Ｂ）は，正常運用時におけるリングネットワークＬ５上の切り替え情報の内容を示す。
【図７】１０ＧラインＦ１４およびＦ１５に障害が発生した場合における，伝送経路＃１および＃２の各迂回経路＃３および＃４を示し，（Ａ）は，ディジタルラッパ方式における迂回経路を，（Ｂ）は，ＯＨＢＴ方式における迂回経路を，それぞれ示す。
【図８】（Ａ）は，１０Ｇラインに障害が発生した場合のディジタルラッパ方式におけるリングネットワークＬ１の切り替え情報の送受信シーケンス図であり，（Ｂ）は，１０Ｇラインに障害が発生した場合のディジタルラッパ方式におけるリングネットワークＬ５の切り替え情報の送受信シーケンス図である。
【図９】（Ａ）は，１０Ｇラインに障害が発生した場合のＯＨＢＴ方式におけるリングネットワークＬ１の切り替え情報の送受信シーケンス図であり，（Ｂ）は，１０Ｇラインに障害が発生した場合のＯＨＢＴ方式におけるリングネットワークＬ５の切り替え情報の送受信シーケンス図である。
【図１０】図８および図９の切り替え情報の内容を示す。
【図１１】４０ＧラインＦ１３およびＦ１６に障害が発生した場合における，伝送経路＃１および＃２の各迂回経路＃５および＃６を示し，（Ａ）は，ディジタルラッパ方式における迂回経路を，（Ｂ）は，ＯＨＢＴ方式における迂回経路を，それぞれ示している。
【図１２】４０Ｇラインに障害が発生した場合のディジタルラッパ方式における切り替え情報の送受信シーケンス図であり，（Ａ）はリングネットワークＬ１のシーケンス図であり，（Ｂ）はリングネットワークＬ５のシーケンス図である。
【図１３】４０Ｇラインに障害が発生した場合のＯＨＢＴ方式における切り替え情報の送受信シーケンス図であり，（Ａ）はリングネットワークＬ１のシーケンス図であり，（Ｂ）はリングネットワークＬ５のシーケンス図である。
【図１４】図１２および図１３の切り替え情報の内容を示す。
【図１５】４０ＧのリングネットワークＬ５（および１０ＧのリングネットワークＬ２）上にあるノードＣに障害が発生した場合における，伝送経路＃１および＃２の各迂回経路＃７および＃８を示し，（Ａ）はディジタルラッパ方式における迂回経路を，（Ｂ）はＯＨＢＴ方式における迂回経路を，それぞれ示している。
【図１６】ノードＣに障害が発生した場合のディジタルラッパ方式における切り替え情報の送受信シーケンス図であり，（Ａ）はリングネットワークＬ１のシーケンス図であり，（Ｂ）はリングネットワークＬ５のシーケンス図である。
【図１７】ノードＣに障害が発生した場合のＯＨＢＴ方式における切り替え情報の送受信シーケンス図であり，（Ａ）はリングネットワークＬ１のシーケンス図であり，（Ｂ）はリングネットワークＬ５のシーケンス図である。
【図１８】図１６および図１７の切り替え情報の内容を示す。
【図１９】本発明によるネットワークシステムの他の構成例を示すブロック図である。
【図２０】（Ａ）は，ＵＰＳＲ方式によるリングネットワークの構成およびデータの伝送の様子を示すブロック図であり，（Ｂ）は，ＢＬＳＲ方式によるリングネットワークの構成およびデータの伝送の様子を示すブロック図である。
【図２１】（Ａ）は，ＵＰＳＲ方式によるリングネットワークにおいて，伝送路に障害が発生した場合の情報の伝送経路を示し，（Ｂ）は，ＢＬＳＲ方式によるリングネットワークにおいて，伝送路に障害が発生した場合の情報の伝送経路を示す。
【図２２】４つのリングネットワークＬ１〜Ｌ４を結合した従来のネットワークシステムの構成を示すブロック図である。
【符号の説明】
Ａ〜Ｌ  ノード装置
Ｌ１〜Ｌ５  リングネットワーク
Ｆ１１〜Ｆ１８，Ｆ２１〜Ｆ２８  光ファイバ
Ｆ３１〜Ｆ３８，Ｆ４１〜Ｆ４８  光ファイバ
１０，５０  制御装置
１１，１２，４２，４３，６１，６２  光／電気信号変換器
１３，１４，４０，４１，５９，６０  電気／光信号変換器
１９，２０，３０，３１  スイッチ部
２１，２２，２８，２９  ブリッジ部
２３  スイッチコア部
３２，３３  第１のディジタルラッパ部
３４，３５  第３のディジタルラッパ部
３６，３７  第２のディジタルラッパ部
３８，３９  第４のディジタルラッパ部
５５〜５８  ＯＨＢＴ部
【図１】
0004777552.tif 000002
【図２】
0004777552.tif 000003
【図３】
0004777552.tif 000004
【図４】
0004777552.tif 000005
【図５】
0004777552.tif 000006
【図６】
0004777552.tif 000007
【図７】
0004777552.tif 000008
【図８】
0004777552.tif 000009
【図９】
0004777552.tif 000010
【図１０】
0004777552.tif 000011
【図１１】
0004777552.tif 000012
【図１２】
0004777552.tif 000013
【図１３】
0004777552.tif 000014
【図１４】
0004777552.tif 000015
【図１５】
0004777552.tif 000016
【図１６】
0004777552.tif 000017
【図１７】
0004777552.tif 000018
【図１８】
0004777552.tif 000019
【図１９】
0004777552.tif 000020
【図２０】
0004777552.tif 000021
【図２１】
0004777552.tif 000022
【図２２】
0004777552.tif 000023